(57)【要約】【課題】柱梁接合部１０のせん断耐力を向上させ、同時に、上鉄筋コンクリート柱１４Ａと下鉄筋コンクリート柱１４Ｂの曲げ耐力を保持させ、建物の耐震性能を高めること。【解決手段】柱梁接合部１０を囲み板２０で拘束し、かつ、柱梁接合部１０と切り離して上鉄筋コンクリート柱１４Ａの下端と、下鉄筋コンクリート柱１４Ｂの上端とを上バンドプレート２２Ａと下バンドプレート２２Ｂとで拘束するようにした。すなわち、柱梁接合部１０と、この柱梁接合部１０に連結される鉄筋コンクリート柱１４の端部とを、囲み板２０と、この囲み板２０と切り離された上下のバンドプレート２２Ａ、２２Ｂで別々に拘束するようにした。【選択図】図１
2019143422.tif 000002
【特許請求の範囲】
【請求項１】
上下の鉄筋コンクリート柱の間に位置し、複数本の鉄骨梁が交差する交差部とその交差部の周囲の空間に充填された充填コンクリートとを備える柱梁接合部の補強構造であって、
前記鉄骨梁が挿通された溝を有し前記充填コンクリートに密着すると共に前記溝部分で前記鉄骨梁に連結されて前記柱梁接合部の周囲を囲み前記柱梁接合部を拘束する鋼製の囲み板と、
上下方向において前記柱梁接合部に連結される上鉄筋コンクリート柱の下端と下鉄筋コンクリート柱の上端とにそれぞれ密着してそれら下端と上端とを囲みそれら下端と上端とを拘束する鋼製の上バンドプレートおよび下バンドプレートとを有し、
前記上バンドプレートと前記囲み板とは上下方向において切り離され、かつ、前記下バンドプレートと前記囲み板とは上下方向において切り離されている、
ことを特徴とする柱梁接合部の補強構造。
【請求項２】
前記交差部が、平面視した場合、鉄筋コンクリート柱の中心から偏心した箇所に位置している、
ことを特徴とする請求項１記載の柱梁接合部の補強構造。
【請求項３】
前記囲み板の上縁は前記鉄骨梁の上端よりも低い箇所に位置すると共に、前記囲み板の下縁は前記鉄骨梁の下端よりも高い箇所に位置し、
前記上バンドプレートの下縁は前記鉄骨梁の上端と同一の高さに位置すると共に、前記下バンドプレートの上縁は前記鉄骨梁の下端と同一の高さに位置している、
ことを特徴とする請求項１または２記載の柱梁接合部の補強構造。
【請求項４】
前記上バンドプレートの下縁と前記囲み板の上縁との間、および、前記下バンドプレートの上縁と前記囲み板の下縁との間の寸法は、１ｍｍ〜２ｍｍ程度である、
ことを特徴とする請求項１〜３の何れか１項記載の柱梁接合部の補強構造。
【請求項５】
前記上下のバンドプレートの表面は、前記鉄筋コンクリート柱の表面と同一面上に位置している、
ことを特徴とする請求項１〜４の何れか１項記載の柱梁接合部の補強構造。
【請求項６】
前記鉄骨梁が前記溝に挿通された状態で、前記溝部分と前記鉄骨梁は接合され、前記囲み板の小口部分では、前記溝部分と前記鉄骨梁とは切り離されている、
ことを特徴とする請求項１〜４の何れか１項記載の柱梁接合部の補強構造。
【請求項７】
前記上バンドプレートの内面と下バンドプレートの内面にはそれぞれリブプレートが突設され、
前記リブプレートは、前記柱梁接合部の内部で前記鉄骨梁に接合されている、
ことを特徴とする請求項１〜６の何れか１項記載の柱梁接合部の補強構造。
【請求項８】
前記囲み板を含んだ前記柱梁接合部は、前記囲み板の内側で前記鉄骨梁の交差部の周囲の空間に前記充填コンクリートが打設され養生されたプレキャスト部材で構成されている、
ことを特徴とする請求項１〜７の何れか１項記載の柱梁接合部の補強構造。
【発明の詳細な説明】
【技術分野】
【０００１】
本発明は、柱梁接合部の補強構造に関し、より詳細には、複数本の鉄骨梁の交差部が、平面視した場合、鉄筋コンクリート柱の中心から偏心した箇所に位置する柱梁接合部に好適な柱梁接合部の補強構造に関する。
【背景技術】
【０００２】
従来、室内のスペースを大きく確保する観点や、水回りのパイプ配設スペースを確保する観点や、外壁側の鉄骨梁の合成耐火の観点などから、複数本の鉄骨梁の交差箇所を鉄筋コンクリート柱の中心に対して偏心させることが行なわれている。
このように鉄骨梁の交差箇所を鉄筋コンクリート柱の中心に対して偏心させた柱梁接合部では、鉄骨梁の交差箇所を鉄筋コンクリート柱の中心に合致させた柱梁接合部に比べ、柱梁接合部のせん断耐力が低下し、鉄筋コンクリート柱に大きなねじれ力が作用する。
したがって、このように鉄骨梁の交差箇所を鉄筋コンクリート柱の中心に対して偏心させた柱梁接合部では、柱梁接合部のせん断耐力の確保や、鉄筋コンクリート柱に作用するねじれ力を抑える必要がある。
本出願人は、柱梁接合部を鋼製の囲み板で覆い、かつ、柱梁接合部に連結される鉄筋コンクリート柱の端部を鋼製のバンドプレートで覆うと共にバンドプレートを鉄骨梁の上下のフランジに溶接やボルト、ナットにより強固に一体化させ、柱梁接合部を補強する構造を提供している（特許文献１）。
【先行技術文献】
【特許文献】
【０００３】
【特許文献１】特開２０１４−１９００４０号
【発明の概要】
【発明が解決しようとする課題】
【０００４】
しかしながら先の補強構造では、鉄骨梁の交差箇所が鉄筋コンクリート柱の中心に対して偏心している柱梁接合部では、柱梁接合部のせん断耐力の確保や、鉄筋コンクリート柱の軸力、曲げ耐力の保持にも限界があることが判明した。
本発明は前記事情に鑑み案出されたものであって、本発明の目的は、鉄骨梁の交差箇所が鉄筋コンクリート柱の中心に対して偏心している柱梁接合部であっても、柱梁接合部のせん断耐力の確保や、鉄筋コンクリート柱の曲げ耐力の保持ができる柱梁接合部の補強構造を提供することにある。
【課題を解決するための手段】
【０００５】
前記目的を達成するため本発明は、上下の鉄筋コンクリート柱の間に位置し、複数本の鉄骨梁が交差する交差部とその交差部の周囲の空間に充填された充填コンクリートとを備える柱梁接合部の補強構造であって、前記鉄骨梁が挿通された溝を有し前記交差部の周囲に設けられた前記充填コンクリートに密着すると共に前記溝部分で前記鉄骨梁に連結されて前記柱梁接合部の周囲を囲み前記柱梁接合部を拘束する鋼製の囲み板と、上下方向において前記柱梁接合部に連結される上鉄筋コンクリート柱の下端と下鉄筋コンクリート柱の上端とにそれぞれ密着してそれら下端と上端とを囲みそれら下端と上端とを拘束する鋼製の上バンドプレートおよび下バンドプレートとを有し、前記上バンドプレートと前記囲み板とは上下方向において切り離され、かつ、前記下バンドプレートと前記囲み板とは上下方向において切り離されていることを特徴とする。
また、本発明は、前記交差部が、平面視した場合、鉄筋コンクリート柱の中心から偏心した箇所に位置していることを特徴とする。
また、本発明は、前記囲み板の上縁は前記鉄骨梁の上端よりも低い箇所に位置すると共に、前記囲み板の下縁は前記鉄骨梁の下端よりも高い箇所に位置し、前記上バンドプレートの下縁は前記鉄骨梁の上端と同一の高さに位置すると共に、前記下バンドプレートの上縁は前記鉄骨梁の下端と同一の高さに位置していることを特徴とする。
また、本発明は、前記上バンドプレートの下縁と前記囲み板の上縁との間、および、前記下バンドプレートの上縁と前記囲み板の下縁との間の寸法は、１ｍｍ〜２ｍｍ程度であることを特徴とする。
また、本発明は、前記上下のバンドプレートの表面は前記鉄筋コンクリート柱の表面と同一面上に位置していることを特徴とする。
また、本発明は、前記鉄骨梁が前記溝に挿通された状態で、前記溝部分と前記鉄骨梁は接合され、前記囲み板の小口部分では、前記溝部分と前記鉄骨梁とは切り離されていることを特徴とする。
また、本発明は、前記上バンドプレートの内面と下バンドプレートの内面にはそれぞれリブプレートが突設され、前記リブプレートは、前記柱梁接合部の内部で前記鉄骨梁に接合されていることを特徴とする。
また、本発明は、前記囲み板を含んだ前記柱梁接合部は、前記囲み板の内側で前記鉄骨梁の交差部の周囲の空間に前記充填コンクリートが打設され養生されたプレキャスト部材で構成されていることを特徴とする。
【発明の効果】
【０００６】
本発明によれば、柱梁接合部と、この柱梁接合部に連結される鉄筋コンクリート柱の端部とを囲み板と上下のバンドプレートとにより別々に拘束するようにした。
すなわち、左右の鉄骨梁から柱梁接合部に入力されるせん断力の一部は囲み板で受ける。入力されるせん断力は柱梁接合部を介して上鉄筋コンクリート柱と下鉄筋コンクリート柱へそれぞれ伝達される。
また、上鉄筋コンクリート柱と下鉄筋コンクリート柱に取付けた上バンドプレートと下バンドプレートは柱頭と柱脚をそれぞれ拘束することで鉄筋コンクリート柱の曲げ耐力を保持する。
そのため、柱梁接合部のせん断耐力を向上させ、同時に、上鉄筋コンクリート柱と下鉄筋コンクリート柱の曲げ耐力を保持させ、建物の耐震性能を高める上で有利となる。
また、鉄骨梁の交差部を鉄筋コンクリート柱の中心に対して偏心させた柱梁接合部では、鉄骨梁の交差部を鉄筋コンクリート柱の中心に合致させた柱梁接合部に比べ、接合部のせん断耐力が低下し、鉄筋コンクリート柱に大きなねじれ力が作用するものの、前記と同様に、左右の鉄骨梁から柱梁接合部に入力されるせん断力の一部は囲み板で受ける。
入力されるせん断力は柱梁接合部を介して上鉄筋コンクリート柱と下鉄筋コンクリート柱へそれぞれ伝達される。また、上鉄筋コンクリート柱と下鉄筋コンクリート柱に取付けた上バンドプレートと下バンドプレートは柱頭と柱脚をそれぞれ拘束し鉄筋コンクリート柱の曲げ耐力を保持することで、柱梁接合部のせん断耐力を向上させ、同時に、上鉄筋コンクリート柱と下鉄筋コンクリート柱の曲げ耐力を保持させ、建物の耐震性能を高める上で有利となる。
また、上バンドプレートの下縁と囲み板の上縁との間、および、下バンドプレートの上縁と囲み板の下縁との間の寸法を１ｍｍ〜２ｍｍ程度とすると、柱梁接合部のせん断耐力を向上させ、同時に、上鉄筋コンクリート柱と下鉄筋コンクリート柱の曲げ耐力を保持させる上で有利となる。
また、囲み板は柱梁接合部を囲み覆っているので、柱梁接合部の拘束効果に有利となると共に、型枠が不要となるため省力化が図れる。
また、本発明は、柱梁接合部があらかじめ工場で製作されたプレキャスト部材の場合も適用可能であり、工期の短縮化を図る上で有利となる。
【図面の簡単な説明】
【０００７】
【図１】柱梁接合部の補強構造の正面図である。
【図２】（Ａ）は柱梁接合部の断面図で（Ｂ）のＡＡ線断面に相当する図、（Ｂ）は柱梁接合部の断面平面図である。
【図３】鉄骨梁と囲み板の接合状態の説明図である。
【図４】（Ａ）は柱梁接合部の断面図で（Ｂ）のＡＡ線断面に相当する図、（Ｂ）は上下のバンドプレート部分の断面平面図である。
【図５】鉄筋コンクリート柱のバンドプレート部分の断面平面図である。
【図６】バンドプレートとリブプレートの接合状態の説明図である。
【図７】（Ａ）、（Ｂ）は柱梁接合部の変形例の説明図、（Ｃ）はコンクリート柱および柱梁接合部の変形例の説明図である。
【図８】柱梁接合部の変形例の断面平面図である。
【発明を実施するための形態】
【０００８】
以下、本実施の形態の柱梁接合部の補強構造を添付図面に従って説明する。
図１、図２に示すように、柱梁接合部１０において、平面視した場合、４本の鉄骨梁１２の交差部１２Ａが、鉄筋コンクリート柱１４の中心から偏心した箇所に位置している。
なお、本発明において柱梁接合部１０とは、複数本の鉄骨梁１２の交差部１２Ａとその交差部１２Ａの周囲の空間に充填された充填コンクリート１６とを含んで構成され、上下の鉄筋コンクリート柱１４の間に位置する箇所をいう。
【０００９】
鉄骨梁１２は、例えば、鉛直方向に延在するウェブ１２０２と、ウェブ１２０２の上下に位置し水平方向に延在する上下のフランジ１２０４とからなるＨ型鋼である。
４本の鉄骨梁１２が交差する交差部１２Ａは、平面視十字状を呈している。
図２（Ｂ）に示すように、鉄骨梁１２の交差部１２Ａの中心Ｃ２は、鉄筋コンクリート柱１４の中心Ｃ１から偏心している。
鉄筋コンクリート柱１４の中心Ｃ１から鉄骨梁１２の交差部１２Ａの中心Ｃ２までの距離を偏心距離ｅとすると、偏心距離ｅと柱幅Ｂｃの比ｅ／Ｂｃは、後述する柱梁接合部１０の補強効果を発揮させる上で、また、柱主筋１４０２を配置する上で１／６よりも小さいことが好ましい。
【００１０】
柱梁接合部１０の上方に位置する上鉄筋コンクリート柱１４Ａは柱梁接合部１０から立設され、柱梁接合部１０の下方に位置する下鉄筋コンクリート柱１４Ｂは、例えば、フロア上に立設されている。
本実施の形態では、上下の鉄筋コンクリート柱１４Ａ、１４Ｂの断面は矩形状を呈しており、下鉄筋コンクリート柱１４Ｂの上端部から突出した柱主筋１４０２は、継手１４０４を介して上鉄筋コンクリート柱１４Ａの柱主筋１４０２に連結されている。なお、この柱主筋１４０２の本数は建物に合わせ適宜決定される。
【００１１】
柱梁接合部１０の補強構造は、鋼製の囲み板２０と、鋼製の上バンドプレート２２Ａ、下バンドプレート２２Ｂとを含んで構成されている。
囲み板２０は、上下の鉄筋コンクリート柱１４Ａ、１４Ｂの４つの側面を覆う４つの矩形板部２００２を有し、各矩形板部２００２に鉄骨梁１２が挿通される溝２００４が形成されている。
囲み板２０は、各矩形板部２００２の溝２００４にそれぞれ鉄骨梁１２を挿通した状態で各矩形板部２００２の内面は充填コンクリート１６にそれぞれ密着して設けられている。
囲み板２０の上縁２００１Ａは鉄骨梁１２の上フランジ１２０４の上面よりも低い箇所に位置すると共に、囲み板２０の下縁２００１Ｂは鉄骨梁１２の下フランジ１２０４の下面よりも高い箇所に位置している。
【００１２】
したがって、囲み板２０は柱梁接合部１０の周囲を囲み覆っており、柱梁接合部１０を拘束し、柱梁接合部１０１４のせん断耐力の向上を図っている。
また、鉄骨梁１２が溝２００４に挿通された状態で、溝２００４部分と鉄骨梁１２は溶接やボルトナットにより接合され、囲み板２０の小口部分では、溝２００４部分と鉄骨梁１２とは接合されておらず切り離されている。
すなわち、鉄骨梁１２が溝２００４に挿通された状態で、図３に示すように、溝２００４部分は鉄骨梁１２のウェブ１２０２の両側に接合され、上下のフランジ１２０４の互いに対向する箇所は溝２００４部分に接合され、上下のフランジの幅方向の両端は溝２００４部分に接合されておらず切り離されている。
このように、上下のフランジ１２０４の幅方向の両端を溝２００４部分に接合しないことにより、柱梁接合部１０の耐力の向上が図られている。
また、囲み板２０は、４本の鉄骨梁１２の交差部１２Ａの周囲の空間に充填コンクリート１６を打設する際のコンクリート型枠を省略するものでもある。
なお、囲み板２０を、柱梁接合部１０の４つの角部のうち隣り合う２つの角部を含んだ２つの囲み板分割体で構成し、あるいは、柱梁接合部１０の角部を含んだ４つの囲み板分割体により構成するなど任意である。
【００１３】
図４、図５に示すように、上バンドプレート２２Ａは、上鉄筋コンクリート柱１４Ａの下端に設けられ、下バンドプレート２２Ｂは、下鉄筋コンクリート柱１４Ｂの上端に設けられている。
上バンドプレート２２Ａと囲み板２０とは切り離され、また、下バンドプレート２２Ｂと囲み板２０とも切り離されている。
上バンドプレート２２Ａの下縁２２０１Ａは鉄骨梁１２の上フランジ１２０４の上面と同一の高さに位置すると共に、下バンドプレート２２Ｂの上縁２２０１Ｂは鉄骨梁１２の下フランジ１２０４の下面と同一の高さに位置している。
すなわち、上バンドプレート２２Ａの下縁２２０１Ａと囲み板２０の上縁２００１Ａとは隙間Ｓを離して配置され、また、下バンドプレート２２Ｂの上縁２２０１Ｂと囲み板２０の下縁２００１Ｂとも隙間Ｓを離して配置されている。この場合、隙間Ｓは、１ｍｍ〜２ｍｍ程度であることが、後述する効果を奏する上で好ましい。
なお、上バンドプレート２２Ａの下縁２２０１Ａと鉄骨梁１２の上フランジ１２０４の上面、および下バンドプレート２２Ｂの上縁２２０１Ｂと鉄骨梁１２の下フランジ１２０４の下面とは、溶接やボルトナットなどにより接合されていない。
また、囲み板２０の上下方向の長さは、柱梁接合部１０の上下方向の長さに比べ、隙間Ｓの２倍の寸法分だけ短い。
【００１４】
上バンドプレート２２Ａと下バンドプレート２２Ｂは、上鉄筋コンクリート柱１４Ａと下鉄筋コンクリート柱１４Ｂの４つの側面に対応した４つの横長の矩形板部２２０２を有し、それら４つの矩形板部２２０２の内面は、上鉄筋コンクリート柱１４Ａと下鉄筋コンクリート柱１４Ｂの４つの側面に密着している。
したがって、上バンドプレート２２Ａと下バンドプレート２２Ｂは、上鉄筋コンクリート柱１４Ａの下端と下鉄筋コンクリート柱１４Ｂの上端とをそれぞれ囲み、それら下端と上端とを拘束している。
【００１５】
また、上バンドプレート２２Ａと下バンドプレート２２Ｂの４つの矩形板部２２０２の表面は、上鉄筋コンクリート柱１４Ａと下鉄筋コンクリート柱１４Ｂの４つの側面と同一面上に位置している。すなわち、上バンドプレート２２Ａと下バンドプレート２２Ｂとが配置された上鉄筋コンクリート柱１４Ａと下鉄筋コンクリート柱１４Ｂの箇所は、その側面が他の側面に比べて上バンドプレート２２Ａと下バンドプレート２２Ｂの厚さ分くぼんだ箇所に位置している。
したがって、上バンドプレート２２Ａと下バンドプレート２２Ｂの表面は、柱梁接合部１０の表面と同一面上に位置している。
また、本実施の形態では、上下のバンドプレート２２Ａ、２２Ｂの各４つの矩形板部２２０２の内面にリブプレート２２１０が突設されている。
このリブプレート２２１０は、図６に示すように、上下のバンドプレート２２Ａ、２２Ｂの各４つの矩形板部２２０２の内面に溶接で接合されており、また、鉄骨梁１２の上下のフランジ１２０４の幅方向の中央（ウェブ１２０２の厚さの中心上）に溶接やボルトナットで接合されている。
このようなリブプレート２２１０を設けると、鉄骨梁１２が受けた力を柱梁接合部１０から上下の鉄筋コンクリート柱１４Ａ、１４Ｂへ伝達でき、鉄骨梁１２の耐久性を高める上で有利となる。
なお、上バンドプレート２２Ａと下バンドプレート２２Ｂを、柱梁接合部１０の４つの角部のうち隣り合う２つの角部を含んだ２つのバンドプレート分割体で構成し、あるいは、柱梁接合部１０の角部を含んだ４つのバンドプレート分割体により構成し、あるいは、一枚の板を４つに折り曲げて構成するなど任意である。
【００１６】
本実施の形態によれば以下の効果が奏される。
鉄骨梁１２の交差部１２Ａを鉄筋コンクリート柱１４の中心Ｃ１に対して偏心させた柱梁接合部１０では、鉄骨梁１２の交差部１２Ａを鉄筋コンクリート柱１４の中心Ｃ１に合致させた柱梁接合部１０に比べ、柱梁接合部のせん断耐力が低下し、鉄筋コンクリート柱に大きなねじれ力が作用する。
本実施の形態では、鉄骨梁１２の交差部１２Ａを鉄筋コンクリート柱１４の中心Ｃ１に対して偏心させた柱梁接合部１０において、柱梁接合部１０を囲み板２０で拘束し、かつ、柱梁接合部１０と切り離して上鉄筋コンクリート柱１４Ａの下端と、下鉄筋コンクリート柱１４Ｂの上端とを上バンドプレート２２Ａと下バンドプレート２２Ｂとで拘束するようにした。
【００１７】
すなわち、柱梁接合部１０と、この柱梁接合部１０に連結される鉄筋コンクリート柱１４の端部とを、囲み板２０と、この囲み板２０と切り離された上下のバンドプレート２２Ａ、２２Ｂで別々に拘束するようにした。
そのため、左右の鉄骨梁１２から柱梁接合部１０に入力されるせん断力の一部は囲み板２０で受ける。入力されるせん断力は柱梁接合部１０を介して上鉄筋コンクリート柱１４Ａと下鉄筋コンクリート柱１４Ｂへそれぞれ伝達される。
また、上鉄筋コンクリート柱１４Ａと下鉄筋コンクリート柱１４Ｂに取付けた上バンドプレート２２Ａと下バンドプレート２２Ｂは柱頭と柱脚をそれぞれ拘束することで鉄筋コンクリート柱の曲げ耐力を保持する。
そのため、柱梁接合部１０のせん断耐力を向上させ、同時に、上鉄筋コンクリート柱１４Ａと下鉄筋コンクリート柱１４Ｂの曲げ耐力を保持させ、建物の耐震性能を高める上で有利となり、鉄骨梁１２の交差部１２Ａを鉄筋コンクリート柱１４の中心Ｃ１に合致させ囲み板２０のみを設けた柱梁接合部とほぼ同等の耐力を得ることが可能となる。
【００１８】
なお、柱梁接合部１０は、下鉄筋コンクリート柱１４Ｂの上端部に載置される前に囲み板２０の内側で鉄骨梁１２の交差部１２Ａの周囲の空間に充填コンクリート１６が打設され養生されたプレキャスト部材であってもよく、あるいは、鉄骨梁１２の交差部１２Ａを下鉄筋コンクリート柱１４Ｂの上端部に載置し、複数の柱主筋１４０２を上方に突出させたのち鉄骨梁１２の交差部１２Ａの周囲の空間に充填コンクリート１６を打設したもの（現場打ちコンクリート）であってもよい。
また、交差部１２Ａは鉄骨梁１２が十字状に交差するものに限定されず、例えば、図７（Ａ）に示すようにＴ字状や、図７（Ｂ）に示すようにＬ字状に交差する場合などにも無論適用可能である。
【００１９】
また、囲み板２０、上バンドプレート２２Ａ、下バンドプレート２２Ｂの平面視した輪郭は矩形に限定されず、円形や多角形などであってもよく、鉄筋コンクリート柱１４の平面した輪郭に対応して決定される。
例えば、鉄筋コンクリート柱１４の平面した輪郭が円形である場合、囲み板２０の平面した輪郭は図７（Ｃ）に示すように円形となり、これに対応して上バンドプレート２２Ａ、下バンドプレート２２Ｂの平面視した輪郭も円形となる。
【００２０】
また、本実施の形態では、十字状に交差する２つの鉄骨梁１２のうちの一方の鉄骨梁１２を鉄筋コンクリート柱１４の中心Ｃ１から偏心させた場合について説明したが、図８に示すように、２つの鉄骨梁１２の双方を鉄筋コンクリート柱１４の中心Ｃ１から偏心させた場合にも本発明は無論適用可能である。
さらに、本実施の形態では、鉄骨梁１２の交差部１２Ａの中心Ｃ２が鉄筋コンクリート柱１４の中心Ｃ１から偏心している柱梁接合部１０について説明したが、本発明は、鉄骨梁１２の交差部１２Ａの中心Ｃ２と鉄筋コンクリート柱１４の中心Ｃ１とが合致した柱梁接合部１０にも無論適用可能であり、柱梁接合部１０のせん断耐力を向上させ、同時に、上鉄筋コンクリート柱１４Ａと下鉄筋コンクリート柱１４Ｂの曲げ耐力を保持させることが可能となる。
【符号の説明】
【００２１】
１０……柱梁接合部
１２……鉄骨梁
１２Ａ……鉄骨梁の交差部
Ｃ２……鉄骨梁の交差部の中心
１２０２……ウェブ
１２０４……フランジ
１４……鉄筋コンクリート柱
１４Ａ……上鉄筋コンクリート柱
１４Ｂ……下鉄筋コンクリート柱
Ｃ１……鉄筋コンクリート柱の中心
１４０２……梁主筋
１６……充填コンクリート
２０……囲み板
２００２……矩形板部
２００４……溝
２２Ａ……上バンドプレート
２２Ｂ……下バンドプレート
２２０２……矩形板部
２２１０……リブプレート
【図１】
2019143422.tif 000003
【図２】
2019143422.tif 000004
【図３】
2019143422.tif 000005
【図４】
2019143422.tif 000006
【図５】
2019143422.tif 000007
【図６】
2019143422.tif 000008
【図７】
2019143422.tif 000009
【図８】
2019143422.tif 000010